(57)【要約】【課題】施工記録写真を一人で簡単に撮影することが可能な施工記録写真用表示具を提供する。【解決手段】工事名等の施工内容に関する情報を表示可能な表示領域１１を有する本体部１０と、取付部３０のクリップ３１を介して本体部１０に対して回動可能、かつ着脱自在に取り付けられて、釘のピッチ等の施工内容に関する寸法を測定可能な目盛り２１を有する測定部２０と、本体部１０に着脱自在に取り付けられる持ち手部４０と、を具備する。【選択図】図３
2018053588.tif 000002
【特許請求の範囲】
【請求項１】
施工内容に関する情報を表示可能な表示領域を有する本体部と、
前記本体部に取り付けられて、前記施工内容に関する寸法を測定可能な目盛りを有する測定部と、
前記本体部に取り付けられる持ち手部と、
を具備する、
施工記録写真用表示具。
【請求項２】
前記測定部は、
前記本体部に対して回動可能に取り付けられる、
請求項１に記載の施工記録写真用表示具。
【請求項３】
前記測定部は、
前記本体部に着脱自在に取り付けられる、
請求項１又は請求項２に記載の施工記録写真用表示具。
【請求項４】
前記測定部は、
前記本体部の上部に取り付けられる、
請求項１から請求項３までのいずれか一項に記載の施工記録写真用表示具。
【請求項５】
前記測定部は、
取付具を介して前記本体部に取り付けられるものであり、
前記取付具は、
前記測定部を着脱可能に支持すると共に、所定の締結具を介して前記本体部に対して回動可能に締結される、
請求項１から請求項４までのいずれか一項に記載の施工記録写真用表示具。
【請求項６】
前記本体部は、
上部に互いに間隔をあけて形成された複数の貫通孔を具備し、
前記取付具は、
貫通孔を有し、前記取付具の貫通孔と前記本体部の複数の貫通孔のうち一の貫通孔とを前記締結具に貫通されることにより、前記本体部に対して回動可能に締結される、
請求項５に記載の施工記録写真用表示具。
【請求項７】
前記取付具は、
市販のクリップである、
請求項５又は請求項６に記載の施工記録写真用表示具。
【請求項８】
前記持ち手部は、
前記本体部の下部に取り付けられる、
請求項１から請求項７までのいずれか一項に記載の施工記録写真用表示具。
【請求項９】
前記持ち手部は、
軸状に形成され、軸方向に伸縮自在に構成される、
請求項１から請求項８までのいずれか一項に記載の施工記録写真用表示具。
【請求項１０】
前記持ち手部は、
前記本体部との取り付け部分を中心として、前記本体部に対して回動可能に取り付けられる、
請求項１から請求項９までのいずれか一項に記載の施工記録写真用表示具。
【発明の詳細な説明】
【技術分野】
【０００１】
本発明は、施工内容に関する情報を表示するための施工記録写真用表示具の技術に関する。
【背景技術】
【０００２】
従来、建築工事や土木工事等の工事現場では、工事が適正に施工されたこと等を記録するために、施工記録写真を撮影している。施工記録写真は、施工内容に関する情報（例えば、工事した年月日や設計図面等）と、施工内容に関する寸法（例えば、出来形の寸法等）と、を写した写真である。当該施工内容に関する情報を表示するための施工記録写真用表示具の技術は公知となっている。例えば、特許文献１に記載の如くである。
【０００３】
特許文献１に記載される施工記録写真用表示具（メジャー付工事用黒板）は、施工内容に関する情報を表示するための本体部（工事用黒板）と、本体部に装着されて縦方向を測定するメジャーと、本体部に装着されて横方向を測定するメジャーと、黒板を立たせるための固定支持棒と、を具備する。前記施工記録写真用表示具は、施工内容に関する寸法を縦方向を測定するメジャー及び横方向を測定するメジャーによって測定した状態で、固定支持棒によって本体部を立たせることができる。
【０００４】
ここで、例えば、高所に配置されるものの施工記録写真を撮影する場合等に、床面や地面から本体部を浮かせる場合がある。本体部を浮かせた状態で施工記録写真を一人で撮影しようとすると、撮影者は、片手で本体部を持って施工内容に関する寸法を測定しつつ、もう片方の手でカメラを操作することとなる。この場合、本体部を持つ手が施工記録写真に極力写らないように本体部の端部を持ったり、カメラと本体部との距離を確保するために本体部を持つ手を目一杯伸ばした状態でカメラを操作する必要がある。その結果、本体部を安定した状態で支持できずに撮影が行われて、施工内容に関する情報が傾いてしまったり、施工内容に関する寸法を測定できなかったりして、施工記録写真の撮影に失敗してしまう可能性がある。この場合、施工記録写真を撮り直す必要がある。以上のように、前記施工記録写真用表示具は、施工記録写真を一人で簡単に撮影することが困難であった。
【先行技術文献】
【特許文献】
【０００５】
【特許文献１】実用新案登録第３１１３３２７号公報
【発明の概要】
【発明が解決しようとする課題】
【０００６】
本発明は、以上の如き状況を鑑みてなされたものであり、その解決しようとする課題は、施工記録写真を一人で簡単に撮影することが可能な施工記録写真用表示具を提供するものである。
【課題を解決するための手段】
【０００７】
本発明の解決しようとする課題は以上の如くであり、次にこの課題を解決するための手段を説明する。
【０００８】
即ち、請求項１においては、施工内容に関する情報を表示可能な表示領域を有する本体部と、前記本体部に取り付けられて、前記施工内容に関する寸法を測定可能な目盛りを有する測定部と、前記本体部に取り付けられる持ち手部と、を具備するものである。
【０００９】
請求項２においては、前記測定部は、前記本体部に対して回動可能に取り付けられるものである。
【００１０】
請求項３においては、前記測定部は、前記本体部に着脱自在に取り付けられるものである。
【００１１】
請求項４においては、前記測定部は、前記本体部の上部に取り付けられるものである。
【００１２】
請求項５においては、前記測定部は、取付具を介して前記本体部に取り付けられるものであり、前記取付具は、前記測定部を着脱可能に支持すると共に、所定の締結具を介して前記本体部に対して回動可能に締結されるものである。
【００１３】
請求項６においては、前記本体部は、上部に互いに間隔をあけて形成された複数の貫通孔を具備し、前記取付具は、貫通孔を有し、前記取付具の貫通孔と前記本体部の複数の貫通孔のうち一の貫通孔とを前記締結具に貫通されることにより、前記本体部に対して回動可能に締結されるものである。
【００１４】
請求項７においては、前記取付具は、市販のクリップである。
【００１５】
請求項８においては、前記持ち手部は、前記本体部の下部に取り付けられるものである。
【００１６】
請求項９においては、前記持ち手部は、軸状に形成され、軸方向に伸縮自在に構成されるものである。
【００１７】
請求項１０においては、前記持ち手部は、前記本体部との取り付け部分を中心として、前記本体部に対して回動可能に取り付けられるものである。
【発明の効果】
【００１８】
本発明の効果として、以下に示すような効果を奏する。
【００１９】
請求項１においては、簡単に施工記録写真を一人で撮影することができる。
【００２０】
請求項２においては、施工記録写真の質を向上できる。
【００２１】
請求項３においては、施工記録写真用表示具を持ち運び易くなる。
【００２２】
請求項４においては、高所に配置されるものの寸法を簡単に測定できる。
【００２３】
請求項５においては、測定部を簡単かつ安定した状態で本体部に取り付けることができると共に、測定部を簡単に回動させることができる。
【００２４】
請求項６においては、簡単に寸法を測定することができる。
【００２５】
請求項７においては、コストを低減できる。
【００２６】
請求項８においては、高所に配置されるものの寸法を簡単に測定することができる。
【００２７】
請求項９においては、施工記録写真の質を向上できる。
【００２８】
請求項１０においては、施工記録写真の質を向上できる。
【図面の簡単な説明】
【００２９】
【図１】表示具の全体的な構成を示した正面図。
【図２】同じく、右側面図。
【図３】同じく、分解斜視図。
【図４】伸縮部を伸ばした状態を示した右側面図。
【図５】持ち手部を回動させた状態を示した右側面図。
【図６】垂木に目盛りを合わせた状態を示した正面図。
【図７】マウント部を具備する持ち手部を示した右側面図。
【発明を実施するための形態】
【００３０】
以下の説明においては、図中に記した矢印に従って、上下方向、左右方向及び前後方向をそれぞれ定義する。
【００３１】
以下では、図１から図４までを参照して、本発明の一実施形態に係る施工記録写真用表示具１（以下、「表示具１」と称する）について説明する。
【００３２】
図１及び図２に示す表示具１は、施工記録写真を撮影するためのものである。施工記録写真は、建築現場や工事現場等において、工事が適正に施工されたこと等を記録するためのものであり、施工内容に関する情報及び施工内容に関する寸法を写した写真である。施工内容に関する情報及び施工内容に関する寸法については、後で詳述する。本実施形態に係る表示具１は、建築工事において施工記録写真を撮影する用途に用いられる。表示具１は、本体部１０、測定部２０、取付部３０及び持ち手部４０を具備する。
【００３３】
本体部１０は、施工記録に関する情報を表示するためのものである。施工記録に関する情報とは、施工内容を記録するために必要な情報であり、具体的には、工事名、工事箇所、工事した年月日、工事者及び工事箇所の設計図面Ｂ（図６参照）等である。本体部１０は、その板面を前後方向に向けた略板状に形成される。本実施形態に係る本体部１０は、ホワイトボードによって構成される。本体部１０は、表示領域１１、クリアポケット１２、貫通孔１３及びボルト孔１４（図３参照）を具備する。
【００３４】
表示領域１１は、施工記録に関する情報を示すための領域である。表示領域１１は、本体部１０の前面の上部から下部に亘って形成される。表示領域１１は、施工記録に関する情報を記入するための枠（図１及び図３に太線で示す部分）と、当該枠内に記載された施工記録に関する情報を示す文字（図１に示す「工事名」、「工事箇所」、「年月日」及び「工事者」）と、が字消しで擦っても消えないように本体部１０に適宜印刷されることで形成される。
【００３５】
クリアポケット１２は、施工箇所の設計図面Ｂを入れるためのものである。クリアポケット１２は、表示領域１１の上下中途部に適宜貼り付けられる。クリアポケット１２には、上方から設計図面Ｂを入れることができる。
【００３６】
貫通孔１３は、本体部１０を前後に貫通する正面視略円状の孔である。貫通孔１３は、本体部１０の上端部（表示領域１１よりも上方）に形成される。図３に示すように、貫通孔１３は、左右方向に間隔を空けて三つ形成される。左側の貫通孔１３は、本体部１０の左端部に形成される。右側の貫通孔１３は、本体部１０の右端部に形成される。左側の貫通孔１３と右側の貫通孔１３との間に形成される貫通孔１３（以下、「左右中央の貫通孔１３」と称する）は、本体部１０の左右中央部に形成される。
【００３７】
ボルト孔１４は、本体部１０を前後に貫通する正面視略円状の孔である。ボルト孔１４は、本体部１０の下端部（表示領域１１よりも下方）に形成される。ボルト孔１４は、本体部１０の左右中途部に左右方向に間隔を空けて二つ形成される。
【００３８】
図１に示すように、測定部２０は、施工記録に関する寸法を測定するためのものである。施工記録に関する寸法とは、施工箇所に設定された寸法（設計図面Ｂに示された寸法）であり、具体的には、出来形の寸法及び釘Ａ１のピッチ（図６参照）等である。測定部２０は、後述する取付部３０を介して本体部１０の上方に取り付けられる。測定部２０は、長さを示すための目盛り２１を具備する。測定部２０の目盛り２１は、表示領域１１と同一方向（前方）を向けて配置される。測定部２０は、例えば、市販のスケール等によって構成される。
【００３９】
取付部３０は、測定部２０を本体部１０に回動自在、かつ着脱自在に取り付けるためのものである。図１から図３までに示すように、取付部３０は、クリップ３１、蝶ネジ３２及び座付きナット３３を具備する。
【００４０】
クリップ３１は、測定部２０を支持するためのものである。クリップ３１は、本体部１０の後方に配置される。クリップ３１は、市販の山型クリップによって構成される。クリップ３１は、一対の板材３１ａ及び貫通孔３１ｂを具備する。
【００４１】
一対の板材３１ａは、正面視略Ｔ字状に形成される。一対の板材３１ａは、それぞれ前後に並んで配置される。前側の板材３１ａは、その板面を前後方向（本体部１０の板面と同一方向）に向けて配置される。一対の板材３１ａは、バネ（不図示）によって互いに接近される。これにより、一対の板材３１ａは、その上部で測定部２０を挟持可能に構成される。
【００４２】
貫通孔３１ｂは、一対の板材３１ａを前後に貫通する孔である。貫通孔３１ｂは、本体部１０の貫通孔１３と略同一形状となるように形成される。貫通孔３１ｂは、一対の板材３１ａの下部に形成される。前側の板材３１ａに形成される貫通孔３１ｂ（以下、「前側の貫通孔３１ｂ」と称する）は、本体部１０の左右中央の貫通孔１３の後方に配置される。
【００４３】
蝶ネジ３２及び座付きナット３３は、本体部１０及びクリップ３１を締結するためのものである。蝶ネジ３２は、その軸部が本体部１０及びクリップ３１の貫通孔１３・３１ｂに貫通可能に構成される。蝶ネジ３２は、その軸部が本体部１０の左右中央の貫通孔１３及びクリップ３１の前側の貫通孔３１ｂに前方から貫通される。座付きナット３３は、本体部１０及び前側の板材３１ａの後方から、蝶ネジ３２の軸部と螺合する。
【００４４】
持ち手部４０は、施工記録写真を撮影する者（以下、「撮影者」と称する）が持つための部分である。持ち手部４０は、本体部１０の前面の下端部（表示領域１１よりも下方）に着脱自在に取り付けられる。持ち手部４０は、連結部４１、ボルト４２、座付きナット４３、回動軸４４、接続部４５、伸縮部４６及び把持部４７を具備する。
【００４５】
連結部４１は、正面視略トラック状に形成される板状の部分である。連結部４１は、その板面を前後方向（本体部１０の板面と同一方向）に向けて配置される。連結部４１は、一対の凸部４１ａ及びボルト孔４１ｂを具備する。
【００４６】
一対の凸部４１ａは、連結部４１から前方に突出する部分である。一対の凸部４１ａは、側面視略半円状に形成される。一対の凸部４１ａは、その板面を左右方向に向けて配置されると共に、左右方向に間隔をあけて配置される。
【００４７】
ボルト孔４１ｂは、連結部４１を前後に貫通する孔である。ボルト孔４１ｂは、本体部１０のボルト孔１４と略同一形状となるように形成されると共に、当該ボルト孔１４と同一間隔をあけて左右に二つ形成される。左側のボルト孔４１ｂは、本体部１０の左側のボルト孔１４の前方に配置される。右側のボルト孔４１ｂは、本体部１０の右側のボルト孔１４の前方に配置される。
【００４８】
ボルト４２及び座付きナット４３は、本体部１０及び連結部４１を締結するためのものである。ボルト４２は、その軸部が本体部１０及び連結部４１のボルト孔１４・４１ｂに挿通（貫通）可能に構成される。ボルト４２は、その軸部が前記ボルト孔１４・４１ｂに前方から挿通される。座付きナット４３は、本体部１０及び連結部４１の後方から、ボルト４２の軸部と螺合する。
【００４９】
回動軸４４は、後述する接続部４５等を回動可能に支持するためのものである。回動軸４４は、連結部４１の一対の凸部４１ａに形成された孔部に固定され、その軸線方向を左右方向に向けて配置される。
【００５０】
接続部４５は、回動軸４４と後述する伸縮部４６等とを接続するための部分である。接続部４５は、左右方向に延びる筒部に後方向に延びる筒部を連結したような略Ｔ字状に形成される。接続部４５（前記左右方向に延びる筒部）は、回動軸４４に回動自在に挿通され、回動軸４４の周方向に回動自在に構成される。
【００５１】
図２及び図４に示すように、伸縮部４６は、軸状に形成される伸縮自在な部分である。伸縮部４６は、その前端部が接続部４５（前記後方向に延びる筒部）に固定される。伸縮部４６は、その後端部が後述する把持部４７に固定される。伸縮部４６は、例えば、前後方向に互いに摺動可能に嵌め合わされた複数の筒状部材によって構成されると共に、任意の伸縮量（長さ）で適宜固定可能に構成される。
【００５２】
図２に示すように、把持部４７は、撮影者等が把持するための部分である。把持部４７は、その外径が伸縮部４６の外径よりも大きな略筒状に形成される。また、把持部４７は、伸縮部４６を収納可能に形成される。
【００５３】
次に、図２から図６までを参照して、表示具１を用いた施工記録写真の撮影手順について説明する。
【００５４】
なお、撮影前の段階においては、測定部２０、取付部３０及び持ち手部４０は、本体部１０から取り外された状態であるものとする。また、施工記録写真は、垂木Ａの前面に打ち付けられた釘Ａ１のピッチ（図６に示す設計図面Ｂ参照）を記録するために撮影されるものとする。また、当該施工記録写真の撮影は、撮影者が一人で行うものとする。
【００５５】
撮影者は、施工記録写真の撮影に際して、表示具１の取り付け作業及び調整作業を順番に行う。
【００５６】
表示具１の取り付け作業は、本体部１０に測定部２０等を取り付ける作業である。まず、図３に示すように、撮影者は、ボルト４２及び座付きナット４３によって本体部１０及び連結部４１を締結する。これにより、撮影者は、持ち手部４０を本体部１０に取り付ける。このとき、持ち手部４０の伸縮部４６は、縮んだ状態となっている。
【００５７】
次に、撮影者は、蝶ネジ３２及び座付きナット３３によって本体部１０及びクリップ３１を締結することで、クリップ３１を本体部１０に取り付ける。このとき、撮影者は、本体部１０の三つの貫通孔１３のいずれか一つを適宜選択し、当該選択した貫通孔１３に蝶ネジ３２の軸部を挿通させて本体部１０及びクリップ３１を締結する。本実施形態においては、左右中央の貫通孔１３が選択されるものとする。
【００５８】
次に、撮影者は、クリップ３１の一対の板材３１ａを開いて、一対の板材３１ａで測定部２０を挟持させる。これにより、撮影者は、測定部２０を本体部１０に取り付ける。そして、撮影者は、クリアポケット１２に設計図面Ｂを入れると共に、工事名、工事箇所、施工年月日及び施工者を表示領域１１に記入する（図６参照）。以上によって、表示具１の取り付け作業が完了する（図２参照）。
【００５９】
撮影者は、表示具１の取り付け作業が完了すると、表示具１の調整作業を行う。表示具１の調整作業は、伸縮部４６の伸縮量（長さ）を調整したり、測定部２０の回動角度（傾き）を調整する作業である。まず、図４に示すように、撮影者は、伸縮部４６を撮影し易い長さ（例えば、目一杯手を伸ばさなくても釘Ａ１のピッチを測定部２０で測定できるような長さ）にまで伸ばす。そして、図５に示すように、撮影者は、接続部４５を回動させることで、把持部４７を撮影し易い角度（例えば、測定部２０で測定する際に把持部４７を持つ手の高さが肩の高さと同程度の高さとなるような角度）に調整する。
【００６０】
次に、図６に示すように、撮影者は、測定部２０を回動させることで、垂木Ａの傾きに合うように測定部２０の回動角度を調整する。このとき、撮影者は、蝶ネジ３２を適宜緩めてクリップ３１を本体部１０に対して相対的に回動させることで、測定部２０の回動角度を調整する。そして、撮影者は、蝶ネジ３２を締め、調整した回動角度で測定部２０を固定する。その後、撮影者は、把持部４７を持って本体部１０を持ち上げて、釘Ａ１の下方に測定部２０を移動させ、測定部２０の回動角度が垂木Ａの傾きに合っているかを確認し、その結果に応じて適宜測定部２０の回動角度を再調整する。以上によって、表示具１の調整作業が完了する。
【００６１】
本実施形態に係る測定部２０は、本体部１０に対して相対的に回動可能であるため、水平面に対して垂木Ａが傾いていても、測定部２０だけを垂木Ａに合うように傾けることができる（本体部１０を傾けなくて済む）。このため、表示領域１１が見易い姿勢（表示領域１１が正面視で傾いていない姿勢）で本体部１０を撮影できる。
【００６２】
また、撮影者は、手回し可能な蝶ネジ３２によって本体部１０及びクリップ３１を締結できる。これによれば、ドライバー等の工具を用いることなく本体部１０及びクリップ３１を締結できる。このように、取付部３０は、手回し可能な締結具（つまみネジ）を具備することによって、測定部２０の傾きの調整に要する時間を短縮できる。なお、つまみネジには、蝶ネジ３２及びローレットネジ等が含まれる。
【００６３】
ここで、本実施形態のように本体部１０の左右中央の貫通孔１３に蝶ネジ３２を挿通させてクリップ３１（測定部２０）を本体部１０に取り付けた場合、測定部２０の回動角度が大きいと、目盛り２１が本体部１０の後方に隠れてしまい、測定結果の一部（例えば、右側の釘Ａ１の下方に配置される目盛り２１の「２」）が施工記録写真に写らなくなる可能性がある。そこで、撮影者は、本体部１０にクリップ３１を取り付ける際に、予め測定部２０の回動角度を予測する。そして、撮影者は、左右中央の貫通孔１３にクリップ３１を取り付けても、測定結果が全て施工記録写真に写る（測定部２０の回動角度が小さい）と判断した場合に、左右中央の貫通孔１３にクリップ３１を取り付ける。
【００６４】
一方、撮影者は、左右中央の貫通孔１３にクリップ３１を取り付けると、測定結果の一部が施工記録写真に写らない（測定部２０の回動角度が大きい）と判断した場合に、左側又は右側の貫通孔１３にクリップ３１を取り付ける。この際、撮影者は、測定部２０を回動させる方向（垂木Ａが傾く方向）に応じて、左側又は右側の貫通孔１３にクリップ３１を取り付ける。すなわち、撮影者は、測定部２０を正面視時計回り方向に回動させる場合（垂木Ａが右下方向に傾いていた場合）に、右側の貫通孔１３にクリップ３１を取り付ける。また、撮影者は、測定部２０を正面視反時計回り方向に回動させる場合（垂木Ａが左下方向に傾いていた場合）に、左側の貫通孔１３にクリップ３１を取り付ける。
【００６５】
以上のように、本実施形態に係る本体部１０は、三つの貫通孔１３によって、左右の異なる複数箇所にクリップ３１（測定部２０）を取り付けることができるようにしている。これにより、測定部２０の回動角度等に応じて、本体部１０の最適な位置にクリップ３１を取り付けることができるため、測定結果の一部が施工記録写真に写らなくなる事態の発生を抑制できる。これにより、施工記録写真を撮り直す頻度を減らすことができる。
【００６６】
また、撮影者は、本体部１０と垂木Ａやその周辺の部材との位置関係も考慮して、三つの貫通孔１３のうち、いずれの貫通孔１３にクリップ３１を取り付けるかを決定する。撮影者は、例えば、外壁や柱等が本体部１０の右方にある場合に、左側の貫通孔１３又は左右中央の貫通孔１３にクリップ３１を取り付ける。これにより、測定部２０が垂木Ａの周辺の部材に接触することを抑制できるため、釘Ａ１のピッチを簡単に測定することができる。
【００６７】
撮影者は、表示具１の調整作業が完了すると、把持部４７を片手で把持して表示具１を持ち上げることで、測定部２０を釘Ａ１の下方に移動させる。そして、撮影者は、もう片方の手でカメラＣ（図５参照）を操作することで、施工記録写真を撮影する。以上によって、表示具１を用いた施工記録写真の撮影が完了する。
【００６８】
撮影者は、把持部４７を片手で把持して表示具１を片手で持ち上げれば、本体部１０の端部を持つことなく本体部１０を垂木Ａの下方（高所）まで浮かせつつ、測定部２０で釘Ａ１のピッチを測定できる。また、撮影者は、当該状態を維持したままで、もう一方の手でカメラＣを操作すれば、カメラＣと本体部１０との距離を確保するために本体部１０を持つ手を目一杯伸ばすことなく、施工記録写真を撮影することができる。これによれば、撮影者は、一人でも本体部１０を浮かせた状態で安定して支持することができるため、一人で簡単に施工記録写真を撮影することができる。
【００６９】
なお、撮影者は、把持部４７の角度（接続部４５の回動角度）を適宜調整することで、垂木Ａの近傍に限らず任意の位置で本体部１０を安定して支持することができる。
【００７０】
以上の如く、本実施形態に係る表示具１は、施工内容に関する情報を表示可能な表示領域１１を有する本体部１０と、前記本体部１０に取り付けられて、前記施工内容に関する寸法を測定可能な目盛り２１を有する測定部２０と、前記本体部１０に取り付けられる持ち手部４０と、を具備するものである。
【００７１】
このように構成することにより、任意の位置で本体部１０を安定して支持しつつ、測定部２０で施工内容に関する寸法を測定することができる。これによれば、簡単に施工記録写真を一人で撮影することができる。
【００７２】
また、前記測定部２０は、前記本体部１０に対して回動可能に取り付けられるものである。
【００７３】
このように構成することにより、水平面に対して測定対象（寸法を測定する部分）が傾いていても、測定部２０だけを測定対象に合うように傾けることができるため、表示領域１１が見易い姿勢で本体部１０を撮影できる。これによれば、施工記録写真の質を向上できる。
【００７４】
また、前記測定部２０は、前記本体部１０に着脱自在に取り付けられるものである。
【００７５】
このように構成することにより、本体部１０と測定部２０とを別々に運ぶことができるため、表示具１を持ち運び易くなる。
【００７６】
また、前記測定部２０は、前記本体部１０の上部に取り付けられるものである。
【００７７】
このように構成することにより、本体部１０の上方に配置される測定対象を測定し易くなるため、高所に配置されるものの寸法を簡単に測定することができる。
【００７８】
また、前記測定部２０は、クリップ３１（取付具）を介して前記本体部１０に取り付けられるものであり、前記クリップ３１は、前記測定部２０を着脱可能に支持すると共に、蝶ネジ３２及び座付きナット３３（所定の締結具）を介して前記本体部１０に対して回動可能に締結されるものである。
【００７９】
このように構成することにより、測定部２０を簡単に本体部１０に取り付けることができる。具体的には、測定部２０（特に、目盛り２１が記載された部分）は、寸法を測る用途にのみ用いられるものであり、他の部材に取り付けられることを想定した構造にはなっていない。従って、例えば、接着剤等で測定部２０を本体部１０に直接取り付けると、当該取り付け箇所が剥がれてしまい、測定部２０を本体部１０に安定して取り付けられない可能性がある。そこで、表示具１は、取付部３０を介して測定部２０を本体部１０に取り付けるようにしている。これによれば、測定部２０を本体部１０に直接取り付ける場合と比較して、測定部２０を本体部１０に簡単かつ安定した状態で取り付けることができる。
また、蝶ネジ３２を緩めてクリップ３１を回動させれば、測定部２０を簡単に回動させることができる。
【００８０】
また、前記本体部１０は、上部に互いに間隔をあけて形成された複数の貫通孔１３を具備し、前記クリップ３１は、貫通孔３１ｂを有し、前記クリップ３１の貫通孔３１ｂと前記本体部１０の複数の貫通孔１３のうち一の貫通孔１３とを前記蝶ネジ３２に貫通されることにより、前記本体部１０に対して回動可能に締結されるものである。
【００８１】
このように構成することにより、測定部２０（クリップ３１）を複数の箇所に取り付け可能となる。このため、測定対象の傾きや本体部１０と測定対象との位置関係等に応じて最適な箇所（最も寸法を測定し易い箇所）に測定部２０を取り付けることが可能となる。これにより、簡単に寸法を測定することができる。
【００８２】
また、前記クリップ３１は、市販のクリップである。
なお、市販のクリップは、蝶ネジ３２及び座付きナット３３によって締結可能なクリップであれば、その種類は問わない。すなわち、市販のクリップには、山型クリップや目玉クリップ等が含まれる。
【００８３】
このように構成することにより、専用のクリップを製造することなく、測定部２０を支持することができるため、コストを低減できる。
【００８４】
また、前記持ち手部４０は、前記本体部１０の下部に取り付けられるものである。
【００８５】
このように構成することにより、本体部１０の上方に配置される測定対象に本体部１０を接近させ易くなるため、高所に配置されるものの寸法を簡単に測定することができる。
【００８６】
また、前記持ち手部４０は、軸状に形成され、軸方向に伸縮自在に構成されるものである。
【００８７】
このように構成することにより、高所に配置されるものの施工記録写真を撮影するときに、持ち手部４０（伸縮部４６）を最適な長さに調整することができる。これによって、施工記録写真の質を向上できる。また、持ち手部４０を縮めた状態で運ぶことができるため、場所をとらずに持ち運ぶことが可能となる。これによって、持ち手部４０を持ち運び易くなる。
【００８８】
また、前記持ち手部４０は、回動軸４４（前記本体部１０との取り付け部分）を中心として、前記本体部１０に対して回動可能に取り付けられるものである。
【００８９】
このように構成することにより、高所に配置されるものの施工記録写真を撮影するときに、持ち手部４０を最適な角度に調整することができる。これによって、施工記録写真の質を向上できる。
【００９０】
なお、本実施形態に係るクリップ３１は、本発明に係る取付具の実施の一形態である。
また、本実施形態に係る蝶ネジ３２及び座付きナット３３は、本発明に係る所定の締結具の実施の一形態である。
また、本実施形態に係る回動軸４４は、本発明に係る本体部１０との取り付け部分の実施の一形態である。
【００９１】
また、本実施形態に係る表示具１は、持ち手部４０を本体部１０に着脱自在に取り付けられるようにしている。これによれば、本体部１０と持ち手部４０とを別々に運ぶことができるため、表示具１を持ち運び易くなる。また、本実施形態のように測定部２０、取付部３０及び持ち手部４０（本体部１０を除く表示具１の構成部材の全て）を本体部１０に着脱自在に取り付けられるようにすれば、多数の本体部１０を重ねて持ち運べるようになるため、表示具１をさらに持ち運び易くなる。
【００９２】
また、本実施形態に係る本体部１０は、クリアポケット１２を具備することで、設計図面Ｂ等を収納できるようにしている。これによれば、磁石等の部材を用いることなく設計図面Ｂを簡単に表示領域１１に配置することができる。
【００９３】
以上、本発明の実施形態を説明したが、本発明は上記構成に限定されるものではなく、特許請求の範囲に記載された発明の範囲内で種々の変更が可能である。
【００９４】
例えば、表示具１は、建築工事で用いられるものとしたが、表示具１の用途は、これに限定されるものではなく、土木工事で用いられるものであってもよい。
【００９５】
また、本体部１０は、ホワイトボードで構成されるものとしたが、本体部１０の構成は、これに限定されるものではなく、例えば、黒板で構成されるものであってもよい。
【００９６】
また、表示領域１１には、工事名、工事箇所、工事した年月日及び工事者を記入できるようにしたが、これに限定されるものではなく、任意の情報を記入することができる。
【００９７】
また、本体部１０は、クリアポケット１２を具備するものとしたが、これに限定されるものではなく、クリアポケット１２を具備していなくてもよい。
【００９８】
また、本体部１０の貫通孔１３が形成される位置は、本実施形態に限定されるものではなく、任意の位置とすることができる。すなわち、貫通孔１３は、本体部１０の上下中途部や下部に形成されるものであってもよい。また、貫通孔１３が形成される数は、本実施形態に限定されるものではなく、任意の数とすることができる。
【００９９】
また、測定部２０は、垂木Ａに打ち付けられた釘Ａ１のピッチを測定するものとしたが、測定部２０の測定対象は、これに限定されるものではなく、例えば、垂木Ａの太さ等であってもよい。また、測定部２０の測定対象は、屋根を構成する部材に限定されるものではなく、例えば、基礎の太さ等であってもよい。
【０１００】
また、測定部２０は、スケールによって構成されるものとしたが、測定部２０の構成は、寸法を測定可能なものであれば、これに限定されるものではない。
【０１０１】
また、本体部１０及びクリップ３１は、蝶ネジ３２及び座付きナット３３によって締結されるものとしたが、締結具の構成は、これに限定されるものではない。締結具は、例えば、蝶ネジ３２に替えて六角ボルト等を用いることができる。また、締結具は、座付きナット３３に替えて蝶ナット等を用いることができる。
【０１０２】
また、本体部１０及びクリップ３１は、所定の締結具で締結される必要はなく、例えば、本体部１０及びクリップ３１の貫通孔１３・３１ｂに挿通させたピンをかしめることで、互いに回動可能に取り付けられるものであってもよい。また、クリップ３１は、本体部１０に固定されるものであってもよい。
【０１０３】
また、クリップ３１は、山型クリップに限定されるものではなく、例えば、目玉クリップ等であってもよい。また、クリップ３１は、透明であることが望ましい。これによって、クリップ３１の目盛り２１を挟んでいる部分も視認可能となるため、寸法を測定し易くなる。
【０１０４】
また、測定部２０は、取付部３０（クリップ３１）を介して本体部１０に取り付けられる必要はなく、例えば、磁石等を介して本体部１０に取り付けられるものであってもよい。また、測定部２０は、接着剤等によって本体部１０に直接取り付けられるものであってもよい。
【０１０５】
また、持ち手部４０は、本体部１０の前面に取り付けられるものとしたが、持ち手部４０の取り付け位置は、これに限定されるものではなく、例えば、本体部１０の後面等であってもよい。また、持ち手部４０の取り付け位置は、本体部１０の下端部に限定されるものではなく、例えば、本体部１０の上端部や上下中途部等であってもよい。
【０１０６】
また、持ち手部４０は、伸縮自在に構成されるものとしたが、これに限定されるものではなく、伸縮不能に構成されていてもよい。
【０１０７】
また、持ち手部４０は、図７に示すようなマウント部４８を具備していてもよい。マウント部４８は、カメラＣを支持するための部分である。マウント部４８は、把持部４７の後端部に固定され、ヒンジ（不図示）によってカメラＣの向き（上下方向及び左右方向の向き）を調整可能に構成される。マウント部４８には、取り付け作業時にカメラＣがセットされる。マウント部４８は、調整作業時に撮影者によって回動される。これによれば、本体部１０とカメラＣとの相対的な位置関係を決めることができると共に、本体部１０及び測定部２０が写り易くなるようにカメラＣの向きを調整できるため、施工記録写真の質を向上できる。
【０１０８】
また、持ち手部４０は、必ずしも撮影者が持つ用途に用いる必要はなく、例えば、本体部１０を立たせる用途に用いることができる。この場合、持ち手部４０は、把持部４７の軸方向が前後方向を向くように把持部４７の角度が調整される（図２参照）。これにより、撮影者が表示具１に触れることなく本体部１０を立たせることができるため、施工記録写真を一人で簡単に撮影することができる。
【符号の説明】
【０１０９】
１    施工記録写真用表示具
１０  本体部
２０  測定部
２１  目盛り
４０  持ち手部
【図１】
2018053588.tif 000003
【図２】
2018053588.tif 000004
【図３】
2018053588.tif 000005
【図４】
2018053588.tif 000006
【図５】
2018053588.tif 000007
【図６】
2018053588.tif 000008
【図７】
2018053588.tif 000009